(57)【要約】【課題】  側方端部における間隙を遮蔽しつつ操作コードをより端部側に配置することができるブラインドを提供する。【解決手段】  建物の窓枠９に設置されるブラインド１であって、左右方向いずれか一端側の前方から操作コード１６が垂下されるヘッドボックス１０と、ヘッドボックス１０から吊り下げられ、操作コード１６の操作により開閉可能に設けられる遮蔽部材１１と、ヘッドボックス１０の一端側と窓枠９との間に配置され、前後方向に延在する基部と、基部の前端から左右方向内方に延在し、遮蔽部材１１の一端側と少なくとも操作コード１６が垂下される位置を含むヘッドボックス１０の一端側とを覆うように形成された前方覆設部２１とを有するフレーム部材２ｂとを備え、前方覆設部２１に操作コード１６が挿通可能に形成された挿通孔２１１を設けた。【選択図】図１
2019148071.tif 000002
【特許請求の範囲】
【請求項１】
建物の窓枠に設置されるブラインドであって、
左右方向いずれか一端側の前方から操作コードが垂下されるヘッドボックスと、
前記ヘッドボックスから吊り下げられ、前記操作コードの操作により開閉可能に設けられる遮蔽部材と、
前記ヘッドボックスの前記一端側と前記窓枠との間に配置され、前後方向に延在する基部と、該基部の前端から左右方向内方に延在し、前記遮蔽部材の一端側と少なくとも前記操作コードが垂下される位置を含む前記ヘッドボックスの一端側とを覆うように形成された前方覆設部とを有するフレーム部材とを備え、
前記前方覆設部には前記操作コードが挿通可能に形成された挿通孔が設けられることを特徴とする横型ブラインド。
【請求項２】
前記フレーム部材は、前記挿通孔に取り付け可能に形成されたガイド部材を更に有し、該ガイド部材には、前記操作コードを所定の導出方向に案内するガイド孔が形成されることを特徴とする請求項１に記載のブラインド。
【請求項３】
前記操作コードの両端側が前記ヘッドボックスから垂下され、
前記ガイド部材は、前記ガイド孔の内部において前記操作コードの一端側と他端側とを隔離する隔離部を有することを特徴とする請求項２に記載のブラインド。
【請求項４】
前記ガイド孔は、前記隔離部により隔てられた２つのガイド孔として形成され、該２つのガイド孔のそれぞれは、前方側開口の上端が後方側開口の下端より低い位置となるように形成されることを特徴とする請求項３に記載のブラインド。
【請求項５】
前記ガイド部材は、前記ガイド孔の前方開口を前記操作コードが導出可能に覆うフードを有することを特徴とする請求項２〜請求項４のいずれか一項に記載の横型ブラインド。
【請求項６】
前記ガイド部材は、繊維状の部材が束ねられ、該部材の基端部が前記ガイド孔内に固着された繊維部材を有することを特徴とする請求項２〜請求項４のいずれか一項に記載の横型ブラインド。
【発明の詳細な説明】
【技術分野】
【０００１】
本発明は、ブラインドに関する。
【背景技術】
【０００２】
スラット、ルーバー、あるいはスクリーンなどの遮蔽材を上方から吊り下げるブラインドの遮断性を向上させるため、ブラインドとこのブラインドが取り付けられる窓枠との隙間をフレーム部材により閉塞することが一般的に行われている。
【０００３】
また、窓枠との隙間を閉塞させる従来のブラインドとしては、複数の管状のセル部分からなる伸縮可能なハニカム状遮断パネルと、ハニカム状遮断パネルが懸垂されて装着されるヘッドレールと、ハニカム状遮断パネルの下端に重錘として取付けられた可動のしきいレールと、ヘッドレールに設けられたしきいレールを上下させる操作コードとしての引っ張りコードとを備えたハニカム状窓おおいユニットであって、溝形部材として形成された２つの側部レールを、しきいレールが上下に移動可能にハニカム状窓おおいユニットの左右に配置し、２つの側部レールのそれぞれに縁部シールを設けたハニカム状窓おおいユニットが知られている（特許文献１参照）。
【０００４】
このようなハニカム状窓おおいユニットによれば、ハニカム状遮断パネルの端部を２つの側部レールで閉じて密閉することにより、ハニカム状窓おおいユニットが設置された窓から部屋の内部に空気が侵入するのを防止することができ、延いては、遮断性を高めることができる。
【先行技術文献】
【特許文献】
【０００５】
【特許文献１】特公平６−８９６２４号公報
【発明の概要】
【発明が解決しようとする課題】
【０００６】
しかしながら、上述したハニカム状窓おおいユニットによれば、前部フランジ及び後部フランジを有する溝形部材として形成された側部レールがヘッドレールの端部を覆ってしまうため、操作コードを左右方向内方に寄せて配置しなければならず、端部に配置することができない、という問題がある。
【０００７】
操作コードは、遮蔽部材を上下させるために外部に露出されたものであり、操作コードを端部に配置できないことは、デザイン的な観点からは好ましいものではないため、意匠性が低下する要因となる。また、ブラインドには、操作コードにより回転されるプーリを内蔵した操作ユニットがヘッドボックスの側端部において着脱可能となったものがあり、このようなブラインドには上述したような側部レールを取り付けることができない。
【０００８】
そこで、本発明は、このような問題に鑑みてなされたもので、その目的とするところは、側方端部における間隙を遮蔽しつつ操作コードをより端部側に配置することができるブラインドを提供することにある。
【課題を解決するための手段】
【０００９】
上記課題を解決するために、本実施形態に係るブラインドは、建物の窓枠に設置されるブラインドであって、左右方向いずれか一端側の前方から操作コードが垂下されるヘッドボックスと、前記ヘッドボックスから吊り下げられ、前記操作コードの操作により開閉可能に設けられる遮蔽部材と、前記ヘッドボックスの前記一端側と前記窓枠との間に配置され、前後方向に延在する基部と、該基部の前端から左右方向内方に延在し、前記遮蔽部材の一端側と少なくとも前記操作コードが垂下される位置を含む前記ヘッドボックスの一端側とを覆うように形成された前方覆設部とを有するフレーム部材とを備え、前記前方覆設部には前記操作コードが挿通可能に形成された挿通孔が設けられることを特徴とする。
【発明の効果】
【００１０】
本発明によれば、側方端部における間隙を遮蔽しつつ操作コードをより端部側に配置することができる。
【図面の簡単な説明】
【００１１】
【図１】第１の実施形態に係るブラインドの構成を示す正面図である。
【図２】第１の実施形態に係るブラインドの構成を示す側断面図である。
【図３】第１の実施形態に係るフレーム部材の構成を示す斜視図である。
【図４】第１の実施形態に係るガイド部材の構成を示す斜視図である。
【図５】第１の実施形態に係るガイド部材の構成を示す正面図である。
【図６】第１の実施形態に係るガイド部材の構成を示す側断面図である。
【図７】第１の実施形態に係るガイド部材が取り外されたフレーム部材を示す側断面図である。
【図８】第２の実施形態に係るガイド部材の分離状態を示す斜視図である。
【図９】第２の実施形態に係るガイド部材の接合状態を示す斜視図である。
【図１０】第３の実施形態に係るガイド部材の抜去状態を示す斜視図である。
【図１１】第３の実施形態に係るガイド部材の挿通状態を示す斜視図である。
【図１２】第３の実施形態に係るガイド部材が取り付けられたフレーム部材を示す側断面図である。
【図１３】第４の実施形態に係るガイド部材を示す側断面図である。
【図１４】第４の実施形態に係るガイド部材が取り付けられたフレーム部材を示す側断面図である。
【図１５】第５の実施形態に係るガイド部材を示す側断面図である。
【図１６】第６の実施形態に係るガイド部材及びフレーム部材を示す斜視図である。
【図１７】第６の実施形態に係るガイド部材のフレーム部材への取付け方法を示す側断面図である。
【図１８】第７の実施形態に係るフレーム部材を示す斜視図である。
【発明を実施するための形態】
【００１２】
以下に添付図面を参照しながら、本発明の好適な実施形態について詳細に説明する。
【００１３】
＜第１の実施形態＞
（ブラインドの全体構成）
第１の実施形態に係るブラインドの全体構成について説明する。図１は、本実施形態に係るブラインドの構成を示す正面図である。図２は、ブラインドの構成を示す側断面図である。なお、以降の説明において、ブラインドの長手方向を左右方向とし、設置されたブラインドを側方（左右方向一方）から見た場合に、設置面側（例えば窓側）を後方、その逆（例えば室内側）を前方とし、図２を含むブラインドの側断面図は、図中右側を後方とし、図中左側を前方とする。また、以降の説明において、側断面図とは、前後方向及び上下方向に平行する平面により切断して各要素を側方から見たものを示す。
【００１４】
図１及び図２に示すように、ブラインド１は、横型ブラインドであり、ヘッドボックス１０、複数のスラット１１、ボトムレール１２、昇降コード１３、ラダーコード１４、プーリ１５、操作コード１６、フレーム部材２を備える。また、ブラインド１は、ブラケット３を介して建物の窓枠９に取り付けられる。
【００１５】
ヘッドボックス１０は、内部に収容空間が画成され、略直方体状に形成された部材であり、その内部には、プーリ１５、回転可能に支持されてプーリ１５の回転力が伝達される回転軸（不図示）、回転軸により回転される複数のドラム装置（不図示）が収容される。ボトムレール１２は、ブラインド１の下端に配置される。スラット１１は、ヘッドボックス１０とボトムレール１２との間において、ヘッドボックス１０から吊り下げられる遮蔽材として配置される。昇降コード１３は、その上端が対応するドラム装置に固着されるとともに、その下端がヘッドボックス１０から垂下してボトムレール１２に固着される。ラダーコード１４は、スラット１１を前後から挟むように配置された縦コード１４１及び１４２を有し、前後の縦コード１４１及び１４２のそれぞれは、対応するドラム装置にその上端が固着され、ヘッドボックス１０から垂下して複数のスラット１３を整列状態に支持し、その下端がボトムレール１２に固着される。
【００１６】
操作コード１６は、両端部が接続されて環状に形成されたコードであり、ヘッドボックス１０内において側端部近傍に配置されたプーリ１５に巻き掛けられ、一部がヘッドボックス１０外に露出してブラインド１のユーザにより操作可能となっている。この操作コード１６は、ヘッドボックス１０の外部においては、２本の操作コード１６がヘッドボックス１０から垂下されてループを形成するようになっており、ユーザが、操作コード１６の一方を引くことでボトムレール１２が上昇されるとともにスラット１１が一方に傾斜され、また、操作コード１６の他方を引くことでボトムレール１２が下降されるとともにスラット１１が逆方に傾斜されるようになっている。操作コード１６は、上述したように、ループ状に形成されているために、端部が形成されていないが、以降の説明においては、便宜上、ヘッドボックス１０から垂下される２本の操作コード１６の一方を一端側、他方を他端側と称する。なお、操作コードには、複数のボール部材をコードで連結したボールチェーン等が含まれ、操作コードをループ状に形成するにあたっては、コードの端部同士を溶着するもの、あるいはジョイント部品によって連結するもの等が含まれる。
【００１７】
フレーム部材２は、左右方向において、ブラインド１の側端部と窓枠９との間に生じる側方の間隙を閉塞する部材であって、ブラインド１の左右方向端部の少なくとも一方に取り付けられる部材である。本実施形態においては、ブラインド１の左右方向における一端側にフレーム部材２ａが取り付けられ、操作コード１６が設けられる他端側にフレーム部材２ｂが取り付けられるものとする。フレーム部材２ａと２ｂは、全体として左右対称の形状に形成されており、後に詳述するように、フレーム部材２ｂは、操作コード１６を挿通するための挿通孔２１１が形成される点、また、この挿通孔２１１に挿通された操作コード１６を案内するガイド部材２５が取り付けられる点でフレーム部材２ａとは構成が異なる。
【００１８】
（フレーム部材及びガイド部材の構成）
フレーム部材構成について説明する。図３は、本実施形態に係るフレーム部材の構成を示す斜視図である。なお、上述したように、左右のフレーム部材は略左右対称に形成されるため、図３においては、挿通孔が形成されるフレーム部材のみを示す。
【００１９】
図３に示すように、フレーム部材２ｂは、全体として上方から見て略コの字状に形成され、上下方向に延在する部材であり、前方覆設部２１、後方覆設部２２、基部２３を有する。基部２３は、前後方向においてブラインド１の奥行（前後方向幅）より長く延在するとともに、上下方向において窓枠９内に収まる高さに形成された略板状の部材である。前方覆設部２１は、基部２３の前方端部からヘッドボックス１０の長手方向、即ち左右方向における内方へ所定距離だけ延在して、少なくとも操作コード１６の垂下位置を含むヘッドボックス１０の一端側一部を覆うように形成されるとともに、基部２３と同様の高さに形成された略板状の部材である。後方覆設部２２は、基部２３の後方端部からヘッドボックス１０の長手方向において内方に所定距離だけ延在し、基部２３と同様の高さに形成された略板状の部材である。
【００２０】
基部２３には、フレーム部材２ｂを窓枠９にねじ止めするための複数の取付孔２３１が形成される。また、前方覆設部２１には、前方覆設部２１において後方覆設部２２と対向する面から操作コード１６を後方から挿通して前方へ導出するための挿通孔２１１が形成される。この挿通孔２１１は、左右方向において、ヘッドボックス１０から垂下した操作コード１６が、操作孔２１１の開口範囲に収まるような位置に形成されると良い。なお、この挿通孔２１１は、フレーム部材２ａの前方覆設部２１には形成されない。
【００２１】
このように、操作コード１６が垂下する位置に対応してフレーム部材２ｂに挿通孔２１１を設けることによって、ブラインド１の側方端部における間隙を遮断しつつ、ヘッドボックス１０において操作コード１６をより端部側に配置することができる。また、前方覆設部２１の内方側に切欠きを形成するのと比較して、ユーザに対して面一な印象を与え、デザイン上のノイズが少ないことから、意匠性を向上させることができる。なお、フレーム部材２ｂは、少なくとも基部２３と前方覆設部２１とを有するものであれば良く、後方覆設部２２は省略しても良い。
【００２２】
（ガイド部材の構成）
ガイド部材の構成について説明する。図４〜図６は、本実施形態に係るガイド部材の構成を示す図であり、それぞれ、斜視図、正面図、側断面図である。図７は、ガイド部材が取り外されたフレーム部材を示す側断面図である。
【００２３】
図４〜図６に示すように、ガイド部材２５は、挿通孔２１１を前方から遮蔽可能に形成された本体部２５０、本体部２５０の後方において挿通孔２１１の上端、下端にそれぞれ係止されるように設けられた上方被係止部２５３、下方被係止部２５４を有する。本体部２５０は、図６に示すように、上方被係止部２５３及び下方被係止部２５４が設けられる上下端部が他の部分より薄い厚みに、即ち前後方向の長さが短く形成されている。
【００２４】
本体部２５０には、上方側に上方ガイド孔２５１、下方側に下方ガイド孔２５２が、それぞれ操作コード１６を挿通するために形成されており、上方ガイド孔２５１及び下方ガイド孔２５２は、いずれも、本体部２５０を前後方向に貫通するように形成され、前方側の開口が後方側の開口よりも下方に位置するように貫通方向が傾斜される。本体部２５０における上下端部を除く部分は、上方ガイド孔２５１及び下方ガイド孔２５２を傾斜して形成した場合に、十分な貫通距離となる程度の厚みに形成される。
【００２５】
ここで、十分な貫通距離とは、上方ガイド孔２５１及び下方ガイド孔２５２に操作コード１６を挿通した際に、操作コード１６の導出方向を案内することができる距離を示す。本実施形態において、ガイド部材２５は、上方ガイド孔２５１及び下方ガイド孔２５２が上述したように傾斜されることによって、ヘッドボックス１０から垂下された操作コード１６の端部がユーザにより下方へ引っ張られた場合、端部を引く力のベクトルが下方に傾斜され、操作荷重を軽減するとともに操作コードにかかる負荷を軽減する。
【００２６】
上方ガイド孔２５１には操作コード１６の一端側、即ち、プーリ１５に巻き掛けられた状態において上方に位置する側が挿通され、下方ガイド孔２５２には操作コード１６の他端側、即ち、プーリ１５に巻き掛けられた状態において下方に位置する側が挿通される。これによって、操作コード１６がユーザに操作された際に、操作コード１６の一端側と他端側との絡まりを防止することができる。このことから、上方ガイド孔２５１と下方ガイド孔２５２との２つのガイド孔は、１つのガイド孔において操作コード１６の一端側と他端側を隔離するように形成された隔離部を形成したものと見做すことができる。
【００２７】
上方ガイド孔２５１及び下方ガイド孔２５２それぞれにおいて、前方側の開口の縁部上端Ｔは、後方側の開口の縁部下端Ｕより低くなっている。これによって、ブラインド１の後方、即ちブラインド１が設置される建物の開口部から上方ガイド孔２５１及び下方ガイド孔２５２に対して略平行に入射する光による、ブラインド１前方、即ち建物内への光漏れを低減することができる。
【００２８】
上方被係止部２５３は弾性部２５３ａと係合部２５３ｂとを有し、同様に下方係止部２５４は、弾性部２５４ａと係合部２５４ｂとを有する。弾性部２５３ａ，２５４ａは、それぞれ、本体部２５０の上端、下端から後方に延在するように形成された部材であり、ガイド部材２５が可撓性を有する材料により形成されることにより、弾性を有して上下方向に撓むとともに復元力を有する。
【００２９】
係合部２５３ｂ，２５４ｂは、それぞれ、弾性部２５３ａ，２５４ａの後方端部において、上下方向外方に突出するように形成される。また、係合部２５３ｂ，２５４ｂのそれぞれには、その後方側において、上下方向外方から内方所定位置に亘って、内方側が後方位置するように傾斜する傾斜面が形成される。
【００３０】
このように形成されたガイド部材２５は、図７に示すように、フレーム部材２ｂに形成された挿通孔２１１に対して、前方側から挿入されることにより嵌め込まれる。この際、係合部２５３ｂ，２５４ｂにおける傾斜面と挿通孔２１１の縁部が当接することによって、ガイド部材２５を後方へ押圧する力が上下方向内方へ押圧する力に変換されて弾性部２５３ａ，２５４ａを撓ませ、更にガイド部材２５が後方へ押圧されると、係合部２５３ｂ，２５４ｂが挿通孔２１１の縁部を乗り越え、ガイド部材２５が挿通孔２１１に係止される。
【００３１】
なお、挿通孔２１１に取り付けられる以前にガイド部材２５には操作コード１６が挿通されているものとし、ガイド部材２５に取り付けられる時点において操作コード１６は両端部が接続されず、ガイド部材２５に取り付けられた後に両端部が接続されるものとする。
【００３２】
＜第２の実施形態＞
第２の実施形態に係るガイド部材について説明する。図８、図９は、それぞれ、本実施形態に係るガイド部材の分離状態、接合状態を示す斜視図である。
【００３３】
図８及び図９に示すように、本実施形態に係るガイド部材２５ａは、操作コード１６の挿通を容易にするため、左右方向に分離可能に形成されている点が第１の実施形態に係るガイド部材２５とは異なる。
【００３４】
具体的には、ガイド部材２５ａにおける本体部２５０は、上下方向及び前後方向に平行し、上方ガイド孔２５１及び下方ガイド孔２５２を通る平面により切断するように、分割本体部２５０ａと分割本体部２５０ｂとに分割される。分割本体部２５０ａにおける切断面には２つの被挿嵌穴２５５が形成され、分割本体部２５０ｂにおける切断面には２つの被挿嵌穴２５５のそれぞれに挿嵌するように突出した２つの挿嵌部２５６が形成される。上方被係止部２５３及び下方被係止部２５４は、いずれも分割本体部２５０ｂに設けられるものとするが、分割本体部２５０ａに設けられても良く、分割本体部２５０ａ、２５０ｂの両方に設けられても良い。
【００３５】
図８に示す分離状態から、挿嵌部２５６を被挿嵌穴２５５に挿嵌すると、図９に示すように、分割本体部２５０ａと分割本体部２５０ｂとが接合されて本体部２５０が形成される。ガイド部材２５ａが分離状態にある際、接合状態において上方ガイド孔２５１、下方ガイド孔２５２のそれぞれが形成される位置に操作コード１６の一端側、他端側のそれぞれを配置し、ガイド部材２５ａを接合状態とすることによって、ガイド部材２５ａへの操作コード１６の挿通を容易に行うことができる。
【００３６】
なお、ガイド部材２５ａは、上方ガイド孔２５１、下方ガイド孔２５２それぞれにおける前方側、後方側の開口全てを通る面により切断されるように分割されたものであれば良い。
【００３７】
〈第３の実施形態〉
第３の実施形態に係るガイド部材について説明する。図１０、図１１は、それぞれ、本実施形態に係るガイド部材の抜去状態、挿通状態を示す斜視図である。図１２は、本実施形態に係るガイド部材が取り付けられたフレーム部材を示す側断面図である。
【００３８】
図１０及び図１１に示すように、本実施形態に係るガイド部材２５ｂは、操作コード１６の挿通を容易にするため、１つのガイド孔２６０を形成した本体部２５０ｂを有し、このガイド孔２６０において操作コード１６の一端側と他端側とを分離可能とする点が第１の実施形態に係るガイド部材２５とは異なる。
【００３９】
具体的には、本体部２５０ｂには、上方ガイド孔２５１及び下方ガイド孔２５２よりも上下方向の開口幅が大きく形成されたガイド孔２６０が形成される。このガイド孔２６０は、本体部２５０ｂを前後方向に貫通するように形成され、前方側の開口が後方側の開口よりも下方に位置するように貫通方向が傾斜される。また、ガイド孔２６０の内壁には、左右方向に貫通してガイド孔２６０と本体部２５０ｂの外部とを連通する連通孔２６２が形成される。また、ガイド孔２６０の内壁において連通孔２６２に対してこの連通孔２６２の貫通方向に対向する位置に非貫通の穴である被嵌合穴２６３が形成される。
【００４０】
ガイド部材２５ｂは、連通孔２６２に挿通可能に形成された隔離部２６１を有する。本実施形態において隔離部２６１は円柱状に形成されるが、少なくともガイド孔２６０の開口幅、即ち左右方向の大きさより長く延在し、連通孔２６２に挿通可能に形成されたものであれば良い。また、被嵌合穴２６３は、連通孔２６２に挿通された隔離部２６１の先端一部が嵌合可能に形成される。
【００４１】
ガイド部材２５ｂをフレーム部材２ｂに取り付ける場合、まず、図１０に示すように、隔離部２６１が連通孔２６２に挿通されない状態において、フレーム部材２ｂの挿通孔２１１を後方から通過して前方に露出した操作コード１６を、ガイド孔２６０の後方から挿通する。その後、図１１に示すように、ガイド孔２６０に挿通された操作コード１６の一端側と他端側との間に隔離部２６１が位置するように本体部２５０ｂに隔離部２６１を取り付け、図１２に示すようにガイド部材２５ｂをフレーム部材２ｂに取り付ける。
【００４２】
＜第４の実施形態＞
第４の実施形態に係るガイド部材について説明する。図１３は、本実施形態に係るガイド部材を示す側断面図である。図１４は、本実施形態に係るガイド部材が取り付けられたフレーム部材を示す側断面図である。
【００４３】
図１３に示すように、本実施形態に係るガイド部材２５ｃは、遮光フード２７を有する点が第３の実施形態に係るガイド部材２５ｂとは異なる。ガイド部材２５ｂによれば、隔離部２６１が取り付けられるガイド孔２６０が大きく形成されるため、前方へ漏れる光の量もまた大きくなる。また、第１の実施形態に係るガイド部材２５における上方ガイド孔２５１及び下方ガイド孔２５２のように前方の開口の上端が後方の開口の下端より低い位置とする場合、その貫通方向が操作コード１６のガイドに適さない傾斜角度となる可能性がある。
【００４４】
遮光フード２７は、本体部２５０ｂの前方側に設けられ、ガイド孔２６０の前方側の開口を覆うとともに、図１４に示すように、ガイド孔２６０に後方から前方に挿通された操作コード１６が下方に垂下可能に下方一部が開口される。
【００４５】
このように遮光フード２７によりガイド孔２６０の前方開口を覆うことによって、ガイド孔２６０から漏れる光の量を低減することができる。
【００４６】
＜第５の実施形態＞
第５の実施形態に係るガイド部材について説明する。図１５は、本実施形態に係るガイド部材を示す側断面図である。
【００４７】
図１５に示すように、本実施形態に係るガイド部材２５ｄは、繊維部材２５１ａ及び２５２ａが更に設けられる点が第１の実施形態に係るガイド部材２５とは異なる。繊維部材２５１ａ及び２５２ａは、いずれも、複数の繊維状の部材が束ねられた所謂モヘアまたはフロッキーと呼ばれる部材であり、それぞれ、上方ガイド孔２５１、下方ガイド孔２５２に設けられる。繊維部材２５１ａ，２５２ａは、それぞれ、その基端部が上方ガイド孔２５１、下方ガイド孔２５２の内壁上方に固着され、望ましくはその繊維方向が上方ガイド孔２５１、下方ガイド孔２５２の貫通方向と直交する方向を向くように固着される。
【００４８】
このように、上方ガイド孔２５１、下方ガイド孔２５２の内壁に繊維状部材を設けることによって、上方ガイド孔２５１、下方ガイド孔２５２における操作コード１６の移動を阻害することなく、遮光性を向上させることができる。なお、繊維部材２５１ａ，２５２ａは、それぞれ、上方ガイド孔２５１、下方ガイド孔２５２の内壁のいずれの箇所にその基端部が固着されても良い。
【００４９】
＜第６の実施形態＞
第６の実施形態に係るガイド部材及びフレーム部材について説明する。図１６は、本実施形態に係るガイド部材及びフレーム部材を示す斜視図であり、ここで（ａ）はガイド部材がフレーム部材に取り付けられる前の状態を示し、（ｂ）はガイド部材がフレーム部材に取り付けられた状態を示す。図１７は、ガイド部材のフレーム部材への取付け方法を示す側断面図であり、（ａ）は取り付け前の状態を示し、（ｂ）は下端が係止された状態を示し、（ｃ）は取り付け後の状態を示す。
【００５０】
図１６に示すように、本実施形態に係るフレーム部材３ｂは、後方覆設部２２が省略されている点が他の実施形態に係るフレーム部材２ｂとは異なり、そのため、全体として上方から見て略Ｌ字状に形成される。図示しない他端側に設けられるフレーム部材３ａについても同様である。また、本実施形態に係るガイド部材２５ｅは、その本体部２５０ｃにおいて、１つのガイド孔２７０のみが形成され、操作コード１６の一端側と他端側とを上下に隔てるための部材が省略されている点が他の実施形態とは大きく異なる。これによって、構成が単純化され、延いてはガイド部材２５ｅの製造コストを低減させることができる。
【００５１】
また、図１７に示すように、ガイド部材２５ｅは、その本体部２５０ｃの上端部に上方係止部２５３が形成されている点において他の実施形態と同様であるが、本体部２５０ｃの下端部に弾性部が形成されない下方係止部２５５が形成されている点において他の実施形態とは異なる。この下方係止部２５５は、後方側において下方に突設される突設部２５５ａとこの突設部２５５ａの前方において左右方向に伸びる溝部２５５ｂとが形成される部材である。
【００５２】
このように構成されるガイド部材２５ｅは、図１７（ａ）に示すような取り付け前の状態から、図１７（ｂ）に示すように下方係止部２５５のみを挿通孔２１１の下方縁部を溝部２５５ｂに嵌めて係止させた後、ガイド部材２５ｅの上方側を後方へ押圧することによって、図１７（ｃ）に示すように、上方係止部２５３の係合部２５３ｂが挿通孔２１１の上方縁部を乗り越えて、ガイド部材２５ｅが挿通孔２１１に取り付けられる。このように、弾性を有する部分を減らすことによって、ガイド部材２５ｅの強度を向上させることができる。
【００５３】
＜第７の実施形態＞
第７の実施形態に係るフレーム部材について説明する。図１８は、本実施形態に係るフレーム部材を示す斜視図であり、ここで（ａ）はガイド部材がフレーム部材に取り付けられる前の状態を示し、（ｂ）はガイド部材がフレーム部材に取り付けられた状態を示す。
【００５４】
図１８に示すように、本実施形態に係るフレーム部材４ｂは、前方覆設部２１に代えて前方覆設部２１ａを有する点が第６の実施形態に係るフレーム部材３ｂとは異なり、前方覆設部２１ａは、挿通孔２１１の代わりにその左右方向内方側の縁部に切欠き部２１２が形成される点で前方覆設部２１とは異なる。この切欠き部２１２は、ガイド部材２５ｅが取り付け可能に形成されており、図１８（ａ）に示すように、切欠き部２１２の上下の縁部に対して、ガイド部材２５ｅを左右方向内方側から外方側へスライドさせることにより、図１８（ｂ）に示すようにガイド部材２５ｅをフレーム部材４ｂに取り付けることができる。なお、第６の実施形態と同様の手順でガイド部材２５ｅを取り付けることも可能である。
【００５５】
このように、挿通孔２１１の代わりに切欠き部２１２を形成することにより、ガイド部材２５ｅにのみ操作コード１６を挿通させた状態でガイド部材２５ｅをフレーム部材４ｂに取り付けることができ、係る作業をより容易なものとすることができる。なお、ガイド部材２５ｅが切欠き部２１２から意図せず脱落することを防止するため、ガイド部材２５ｅの取付け後にネジ止めや凹凸による係合などによってガイド部材２５ｅをフレーム部材４ｂに固定するようにしても良い。
【００５６】
本発明の実施形態を説明したが、これら実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
１  ブラインド
２ａ，２ｂ  フレーム部材
９  窓枠
１０  ヘッドボックス
１６  操作コード
２１  前方覆設部
２３  基部
２１１  挿通孔
【図１】
2019148071.tif 000003
【図２】
2019148071.tif 000004
【図３】
2019148071.tif 000005
【図４】
2019148071.tif 000006
【図５】
2019148071.tif 000007
【図６】
2019148071.tif 000008
【図７】
2019148071.tif 000009
【図８】
2019148071.tif 000010
【図９】
2019148071.tif 000011
【図１０】
2019148071.tif 000012
【図１１】
2019148071.tif 000013
【図１２】
2019148071.tif 000014
【図１３】
2019148071.tif 000015
【図１４】
2019148071.tif 000016
【図１５】
2019148071.tif 000017
【図１６】
2019148071.tif 000018
【図１７】
2019148071.tif 000019
【図１８】
2019148071.tif 000020